(57)【要約】【課題】支持部材に取り付けられる第１の部品と、被取付部材に取り付けられる第２の部品とを深くかがみ込むことなく作業性よく締結することができる取付器具を得ること。【解決手段】取付器具１００は、被取付部材Ｓを支持部材Ｒに取り付けるための取付器具であって、支持部材の表面上に取り付けられる第１の部品１１０と、被取付部材が取り付けられる第２の部品１２０と、第１の部品１１０と第２の部品１２０とを締結する締結手段Ｂｔ、Ｎｔとを備え、第１の部品１１０と第２の部品１２０とは、それぞれの少なくとも一部で引っ掛かり、かつ、締結手段Ｂｔ、Ｎｔによりそれぞれの少なくとも一部で締結され、締結手段Ｂｔ、Ｎｔにより第１の部品１１０と第２の部品１２０とを締結する方向は支持部材Ｒの表面に対して垂直な方向である。【選択図】図１
2018141297.tif 000002
【特許請求の範囲】
【請求項１】
被取付部材を支持部材に取り付けるための取付器具であって、
該支持部材の表面上に取り付けられる第１の部品と、
該被取付部材が取り付けられる第２の部品と、
該第１の部品と該第２の部品とを締結する締結手段と
を備え、
該第１の部品と該第２の部品とは、それぞれの少なくとも一部で引っ掛かり、かつ、該締結手段によりそれぞれの少なくとも一部で締結され、該締結手段により該第１の部品と該第２の部品とを締結する方向は該支持部材の表面に対して垂直な方向である、取付器具。
【請求項２】
前記第１の部品と前記第２の部品とが引っ掛かる部分は、該第１の部品および該第２の部品のそれぞれの一方片側部にあり、該第１の部品と該第２の部品とが前記締結手段により締結される部分は、該一方片側部とは反対側にある該第１の部品および該第２の部品のそれぞれの他方片側部にある、請求項１に記載の取付器具。
【請求項３】
前記第１の部品と前記第２の部品とが引っ掛かる部分は、該第１の部品および該第２の部品のそれぞれの一方片側部にあり、該第１の部品と該第２の部品とが前記締結手段により締結される部分は、該第１の部品および該第２の部品のそれぞれの該一方片側部にある、請求項１に記載の取付器具。
【請求項４】
前記第１の部品と前記第２の部品とが引っ掛かる部分は、該第１の部品および該第２の部品のそれぞれの一方片側部と、該一方片側部とは反対側にある該第１の部品および該第２の部品のそれぞれの他方片側部とにあり、
該第１の部品と該第２の部品とが前記締結手段により締結される部分は、該第１の部品および該第２の部品のそれぞれの該一方片側部にある、請求項１に記載の取付器具。
【請求項５】
前記第１の部品と前記第２の部品とが引っ掛かる部分は、該第１の部品および該第２の部品のそれぞれの一方片側部と、該一方片側部とは反対側にある該第１の部品および該第２の部品のそれぞれの他方片側部とにあり、
該第１の部品と該第２の部品とが前記締結手段により締結される部分は、該第１の部品および該第２の部品のそれぞれの該一方片側部と、該一方片側部とは反対側にある該第１の部品および該第２の部品のそれぞれの該他方片側部とにある、請求項１に記載の取付器具。
【請求項６】
前記第１の部品と前記第２の部品とが引っ掛かる部分は、該第１の部品および該第２の部品のそれぞれの一方片側部にあり、
該第１の部品と該第２の部品とが前記締結手段により締結される部分は、該第１の部品および該第２の部品のそれぞれの該一方片側部と、該一方片側部とは反対側にある該第１の部品および該第２の部品のそれぞれの他方片側部とにある、請求項１に記載の取付器具。
【請求項７】
前記第１の部品と前記第２の部品とが引っ掛かる部分は、該第１の部品と該第２の部品とが相互に対して第１の方向にスライド可能であるように、構成されている、請求項１〜請求項６のいずれか一項に記載の取付器具。
【請求項８】
前記締結手段は、ボルトおよびナットを含み、
前記第１の部品および前記第２の部品の少なくとも一方は、該第１の部品と該第２の部品を該ボルトおよび該ナットにより締結するための長孔を有し、該長孔が前記第１の方向に延在している、請求項７に記載の取付器具。
【請求項９】
前記第１の部品と前記第２の部品とが引っ掛かる部分は、該第２の部品が該第１の部品に対して、前記第１の方向に垂直でかつ前記支持部材の表面に平行な第２の方向に移動するのが阻止され、かつ、該第２の部品が該第１の部品に対して該第２の方向とは反対の方向に移動するのが阻止されるように、該第２の部品が該第１の部品に当接するように構成されている、請求項７または請求項８に記載の取付器具。
【請求項１０】
前記支持部材に前記第１の部品を取り付けるための一対の第１の固定部材と、
前記被取付部材を前記第２の部品に取り付けるための第２の固定部材と
をさらに備え、
該第２の固定部材の位置は、前記第１の方向において、該一対の第１の固定部材の一方の位置と他方の位置との間に位置している、請求項７から請求項９のいずれか一項に記載の取付器具。
【請求項１１】
前記支持部材に前記第１の部品を固定するための第１の固定部材と、
前記被取付部材を前記第２の部品に固定するための第２の固定部材と
をさらに備え、
前記第１の方向における該第１の固定部材の位置に対する該第２の固定部材の位置のずれは、該第１の部品の前記第１の方向における長さの１割以下である、請求項７から請求項９のいずれか一項に記載の取付器具。
【発明の詳細な説明】
【技術分野】
【０００１】
本発明は、被取付部材を支持部材に取り付けるための取付器具に関するものである。
【背景技術】
【０００２】
従来から、太陽光発電ユニットを折板屋根に取り付けるための取付器具として特許文献１に開示のものがある。
【０００３】
この特許文献１に開示の取付器具は、折板屋根に取り付けられる第１の部品と、太陽光発電ユニットに取り付けられる第２の部品とを備え、第１の部品と第２の部品とを締結部材で締結するようにしたものである。
【先行技術文献】
【特許文献】
【０００４】
【特許文献１】特開２００２−３０７７４号公報
【発明の概要】
【発明が解決しようとする課題】
【０００５】
ところが、特許文献１に開示の取付器具は、第１の部品の内側に第２の部品を収容した状態で、第１の部品の側壁と第２の部品の側壁とを折板屋根に沿って横方向からボルトとナットで締結する構造となっている。
【０００６】
本発明者らは、このような構造では、締結作業の際に作業者が深くかがみ込む必要があり、太陽光発電ユニットを折板屋根に取り付ける作業の作業性が悪いという問題を見出した。
【０００７】
本発明は、特許文献１に記載の構造において必要とされるところの作業者が深くかがみ込むことなしで、作業性よく、被取付部材を支持部材に取り付けることができる取付器具を提供することを目的とする。
【課題を解決するための手段】
【０００８】
本発明に係る取付器具は、被取付部材を支持部材に取り付けるための取付器具であって、該支持部材の表面上に取り付けられる第１の部品と、該被取付部材が取り付けられる第２の部品と、該第１の部品と該第２の部品とを締結する締結手段とを備え、該第１の部品と該第２の部品とは、それぞれの少なくとも一部で引っ掛かり、かつ、該締結手段によりそれぞれの少なくとも一部で締結され、該締結手段により該第１の部品と該第２の部品とを締結する方向は該支持部材の表面に対して垂直な方向であり、そのことにより上記目的が達成される。
【０００９】
本発明においては、前記第１の部品と前記第２の部品とが引っ掛かる部分は、該第１の部品および該第２の部品のそれぞれの一方片側部にあり、該第１の部品と該第２の部品とが前記締結手段により締結される部分は、該一方片側部とは反対側にある該第１の部品および該第２の部品のそれぞれの他方片側部にあることが好ましい。
【００１０】
本発明においては、前記第１の部品と前記第２の部品とが引っ掛かる部分は、該第１の部品および該第２の部品のそれぞれの一方片側部にあり、該第１の部品と該第２の部品とが前記締結手段により締結される部分は、該第１の部品および該第２の部品のそれぞれの該一方片側部にあることが好ましい。
【００１１】
本発明においては、前記第１の部品と前記第２の部品とが引っ掛かる部分は、該第１の部品および該第２の部品のそれぞれの一方片側部と、該一方片側部とは反対側にある該第１の部品および該第２の部品のそれぞれの他方片側部とにあり、該第１の部品と該第２の部品とが前記締結手段により締結される部分は、該第１の部品および該第２の部品のそれぞれの該一方片側部にあることが好ましい。
【００１２】
本発明においては、前記第１の部品と前記第２の部品とが引っ掛かる部分は、該第１の部品および該第２の部品のそれぞれの一方片側部と、該一方片側部とは反対側にある該第１の部品および該第２の部品のそれぞれの他方片側部とにあり、該第１の部品と該第２の部品とが前記締結手段により締結される部分は、該第１の部品および該第２の部品のそれぞれの該一方片側部と、該一方片側部とは反対側にある該第１の部品および該第２の部品のそれぞれの該他方片側部とにあることが好ましい。
【００１３】
本発明においては、前記第１の部品と前記第２の部品とが引っ掛かる部分は、該第１の部品および該第２の部品のそれぞれの一方片側部にあり、該第１の部品と該第２の部品とが前記締結手段により締結される部分は、該第１の部品および該第２の部品のそれぞれの該一方片側部と、該一方片側部とは反対側にある該第１の部品および該第２の部品のそれぞれの他方片側部とにあることが好ましい。
【００１４】
本発明においては、前記第１の部品と前記第２の部品とが引っ掛かる部分は、該第１の部品と該第２の部品とが相互に対して第１の方向にスライド可能であるように、構成されていることが好ましい。
【００１５】
本発明においては、前記締結手段は、ボルトおよびナットを含み、前記第１の部品および前記第２の部品の少なくとも一方は、該第１の部品と該第２の部品を該ボルトおよび該ナットにより締結するための長孔を有し、該長孔が前記第１の方向に延在していることが好ましい。
【００１６】
本発明においては、前記第１の部品と前記第２の部品とが引っ掛かる部分は、該第２の部品が該第１の部品に対して、前記第１の方向に垂直でかつ前記支持部材の表面に平行な第２の方向に移動するのが阻止され、かつ、該第２の部品が該第１の部品に対して該第２の方向とは反対の方向に移動するのが阻止されるように、該第２の部品が該第１の部品に当接するように構成されていることが好ましい。
【００１７】
本発明においては、前記支持部材に前記第１の部品を取り付けるための一対の第１の固定部材と、前記被取付部材を前記第２の部品に取り付けるための第２の固定部材とをさらに備え、該第２の固定部材の位置は、前記第１の方向において、該一対の第１の固定部材の一方の位置と他方の位置との間に位置していることが好ましい。
【００１８】
本発明においては、前記支持部材に前記第１の部品を固定するための第１の固定部材と、前記被取付部材を前記第２の部品に固定するための第２の固定部材とをさらに備え、前記第１の方向における該第１の固定部材の位置に対する該第２の固定部材の位置のずれは、該第１の部品の前記第１の方向における長さの１割以下であることが好ましい。
【発明の効果】
【００１９】
本発明によれば、深くかがみ込むことなく作業性よく被取付部材を支持部材に取り付けることができる取付器具を実現することができる。
【図面の簡単な説明】
【００２０】
【図１】図１は、本発明の実施形態１による取付器具１００を説明するための斜視図（図１（ａ））および分解斜視図（図１（ｂ））である。
【図２】図２は、図１（ａ）に示す取付器具１００の具体的構成を説明するための図であり、図２（ａ）〜図２（ｅ）はそれぞれ図１（ａ）に示す取付器具１００をＡ方向〜Ｅ方向から見た構造を示し、図２（ｆ）は図２（ａ）のＦ２部分を拡大して示す。
【図３】図３は、図１（ｂ）に示す取付器具１００の下部品１１０の具体的構造を説明するための図であり、図３（ａ）〜図３（ｅ）はそれぞれ図１（ｂ）に示す下部品１１０をＡ方向〜Ｅ方向から見た構造を示し、図３（ｆ）は、図３（ａ）のＦ３部分を拡大して示す。
【図４】図４は、図１（ｂ）に示す取付器具の上部品１２０の具体的構造を説明するための図であり、図４（ａ）〜図４（ｅ）はそれぞれ図１（ｂ）に示す上部品１２０をＡ方向〜Ｅ方向から見た構造を示し、図４（ｆ）は図４（ａ）のＦ４部分を拡大して示す。
【図５】図５は、実施形態１の取付器具１００を用いてソーラーパネルＳを折板屋根Ｒに取り付けた状態を説明するための図であり、図５（ａ）は、折板屋根Ｒの全体を示す斜視図、図５（ｂ）および図５（ｃ）は、図５（ａ）におけるＡ５部分を拡大して示す平面図および斜視図である。
【図６】図６は、取付器具１００に取り付けられる押え金具を示す図であり、図６（ａ）は、図５（ｂ）のＢ５部分に配置された取付器具１００に用いられる押え金具３０を示し、図６（ｂ）は、図５（ｂ）のＣ５部分に配置された取付器具１００に用いられる押え金具４０を示す。
【図７】図７は、取付器具１００に取り付けられる押え金具を示す図であり、図７（ａ）〜図７（ｃ）は、図６（ａ）に示す押え金具３０を示し、図７（ｄ）〜図７（ｆ）は、図６（ｂ）に示す押え金具４０を示す。
【図８】図８は、実施形態１の変形例１による取付器具１００ａを説明するための図であり、図８（ａ）は、取付器具１００ａの構造を示し、図８（ｂ）および図８（ｃ）は取付器具１００ａの上部品１２０ａおよび下部品１１０ａを示す。
【図９】図９は、実施形態１の変形例２による取付器具１００ｂを説明するための図であり、図９（ａ）は、取付器具１００ｂの構造を示し、図９（ｂ）および図９（ｃ）は取付器具１００ｂの上部品１２０および１１０ｂを示す。
【図１０】図１０は、実施形態１の変形例３による取付器具１００ｃを説明するための図であり、図１０（ａ）は、取付器具１００ｃの構造を示し、図１０（ｂ）および図１０（ｃ）は取付器具１００ｃの上部品１２０ｃおよび下部品１１０ｃを示し、図１０（ｄ）は図１０（ｂ）の上部品１２０ｃをＤ１０方向から見た構造を示し、図１０（ｅ）は図１０（ｃ）の下部品１１０ｃをＥ１０方向から見た構造を示す。
【図１１】図１１は、本発明の実施形態２による取付器具２００を説明するための斜視図（図１１（ａ））および分解斜視図（図１１（ｂ））である。
【図１２】図１２は、図１１（ａ）に示す取付器具２００の具体的構成を説明するための図であり、図１２（ａ）〜図１２（ｅ）はそれぞれ図１１（ａ）に示す取付器具２００をＡ１１方向〜Ｅ１１方向から見た構造を示す。
【図１３】図１３は、図１１（ｂ）に示す取付器具２００の下部品２１０の具体的構造を説明するための図であり、図１３（ａ）〜図１３（ｅ）はそれぞれ図１１（ｂ）に示す取付器具の下部品２１０をＡ１１方向〜Ｅ１１方向から見た構造を示す。
【図１４】図１４は、図１１（ｂ）に示す取付器具２００の上部品２２０の具体的構造を説明するための図であり、図１４（ａ）〜図１４（ｅ）はそれぞれ図１１（ｂ）に示す上部品２００ｂをＡ１１方向〜Ｅ１１方向から見た構造を示す。
【図１５】図１５は、本発明の実施形態３による取付器具３００を説明するための斜視図（図１５（ａ））および分解斜視図（図１５（ｂ））である。
【図１６】図１６は、図１５（ａ）に示す取付器具３００の具体的構成を説明するための図であり、図１６（ａ）〜図１６（ｅ）はそれぞれ図１５（ａ）に示す取付器具３００をＡ１５方向〜Ｅ１５方向から見た構造を示す。
【図１７】図１７は、図１５（ｂ）に示す取付器具３００の下部品３１０の具体的構造を説明するための図であり、図１７（ａ）〜図１７（ｅ）はそれぞれ図１５（ｂ）に示す取付器具の下部品３１０をＡ１５方向〜Ｅ１５方向から見た構造を示す。
【図１８】図１８は、図１５（ｂ）に示す取付器具３００の上部品３２０の具体的構造を説明するための図であり、図１８（ａ）〜図１８（ｅ）はそれぞれ図１５（ｂ）に示す上部品３２０をＡ１５方向〜Ｅ１５方向から見た構造を示す。
【図１９】図１９は、図１（ｂ）に示す取付器具における上部品１２０と下部品１１０との位置ずれを阻止する引掛り部１３および２３の構造の一例（図１９（ａ））およびその他の例（図１９（ｂ））を説明するための図である。
【図２０】図２０は、取付器具における上部品と下部品とが取付器具の両側でボルトとナットで締結される２つの例（図２０（ａ）および図２０（ｂ））を説明するための図である。
【発明を実施するための形態】
【００２１】
以下、本発明の実施形態について図面を参照しながら説明する。
【００２２】
本発明の取付器具は、支持部材の表面上に取り付けられる第１の部品と、被取付部材が取り付けられる第２の部品と、第１の部品と第２の部品とを締結する締結手段とを有する。
【００２３】
本発明の取付器具では、第１の部品と第２の部品とが少なくとも一部で引っ掛かり、かつ、第１の部品と第２の部品とが少なくとも一部で締結手段により締結され、締結手段により第１の部品と第２の部品とを締結する方向が支持部材の表面に対して垂直な方向である。
【００２４】
従って、本発明の取付器具において、支持部材および被取付部材はどのようなものでもよい。支持部材は、例えば、建造物の屋根であり、建造物の屋根は、例えば、折板屋根などの金属屋根、コンクリート製の屋根、瓦葺の屋根である。さらに、支持部材は、建物の屋根に限らず、建造物の壁や骨格、さらには、鉄筋コンクリートの基礎であってもよい。また、被取付部材は、例えば、ソーラーパネルである。さらに、被取付部材は、ソーラーパネルに限らず、空調装置、アンテナなどの設備あるいはそのフレームであってもよい。さらに、第１の部品および第２の部品は、これらの部品が少なくとも一部で引っ掛かり、かつ、少なくとも一部で締結手段により締結され、締結部材によりこれらの部品を締結する方向が支持部材の表面に垂直な方向であれば、特定の形状や特定材料に限定されるものではない。第１の部品および第２の部品の形状は、例えば、角ばった形状でも丸みを帯びた形状でもよいし、第１の部品および第２の部品の材料は、例えば、アルミ、鉄、ステンレスなどの金属材料であってもよいし、樹脂材料であってもよい。また、第１の部品および第２の部品は、押し出し成型により形成されたものでもよいが、第１の部品および第２の部品の形成は、押し出し成型に限らず、他の方法で形成してもよい。
【００２５】
ただし、以下の実施形態では、被取付部材がソーラーパネルであり、支持部材が折板屋根であり、第１の部品が折板屋根に取り付けられる金属製金具（下部品）、第２の部品がソーラーパネルに取り付けられる金属製金具（上部品）であり、第１の部品も第２の部品も角ばった形状である場合について説明する。
【００２６】
特に、実施形態１では、下部品と上部品とが、取付器具の一方側の片側部（下部品と上部品のそれぞれの一方片側部）で引っ掛かり、下部品と上部品とが、当該一方側とは反対側の他方側の片側部（下部品と上部品のそれぞれの他方片側部）でボルトとナットで締結される取付器具を説明する。
【００２７】
実施形態２では、下部品と上部品とが、取付器具の一方側の片側部（下部品と上部品のそれぞれの一方片側部）で引っ掛かり、かつ、当該一方側と同じ側の片側部でボルトとナットで締結される取付器具を説明する。
【００２８】
実施形態３では、下部品と上部品とが、取付器具の両側の片側部（下部品と上部品のそれぞれの一方片側部および他方片側部）で引っ掛かり、かつ、取付器具の一方側の片側部（下部品と上部品のそれぞれの一方片側部）でボルトとナットで締結される取付器具を説明する。
【００２９】
〔実施形態１〕
１．取付器具１００の構造
図１は、本発明の実施形態１による取付器具１００を説明するための斜視図（図１（ａ））および分解斜視図（図１（ｂ））である。
【００３０】
（取付器具１００）
実施形態１の取付器具１００は、被取付部材を支持部材に取り付けるための金具である。ここでは、被取付部材がソーラーパネルＳであり支持部材が金属製の折板屋根Ｒである場合の例を示す。
【００３１】
取付器具１００は、図１（ａ）に示すように、折板屋根Ｒの頂部平坦面Ｒ１上に取り付けられる下部品（第１の部品）１１０と、ソーラーパネルＳが取り付けられる上部品（第２の部品）１２０と、下部品１１０と上部品１２０とを締結する締結ボルトＢｔおよび締結ナットＮｔ（締結手段）とを備えている。下部品１１０の一部１３と上部品１２０の一部２３とは、図１（ａ）および図１（ｂ）に示すように下部品１１０および上部品１２０のそれぞれの一方側の片側部（一方片側部）で引っ掛かっている。下部品１１０の他の一部（後述するフランジ）１１４と上部品１２０の他の一部（後述するフランジ）１２４とが、図１（ａ）および図１（ｂ）に示す例ではスプリングワッシャーＳｗおよび座金Ｗを介して、締結ボルトＢｔおよび締結ナットＮｔにより下部品１１０および上部品１２０のそれぞれの他方側の片側部（他方片側部）で締結されている。ここで、締結ボルトＢｔおよび締結ナットＮｔによる下部品１１０と上部品１２０とを締結する締結方向は、折板屋根Ｒの頂部平坦面Ｒ１に対して垂直な方向を向いている。
【００３２】
以下、取付器具１００の具体的構成を説明する。
【００３３】
図２〜図４はそれぞれ、取付器具１００、その下部品１１０、およびその上部品１２０を説明するための図である。図２（ａ）〜図２（ｅ）はそれぞれ図１（ａ）に示す取付器具１００をＡ方向〜Ｅ方向から見た構造を示し、図２（ｆ）は図２（ａ）のＦ２部分を拡大して示す。図３（ａ）〜図３（ｅ）はそれぞれ図１（ｂ）に示す下部品１１０をＡ方向〜Ｅ方向から見た構造を示し、図３（ｆ）は、図３（ａ）のＦ３部分を拡大して示す。図４（ａ）〜図４（ｅ）はそれぞれ図１（ｂ）に示す上部品１２０をＡ方向〜Ｅ方向から見た構造を示し、図４（ｆ）は図４（ａ）のＦ４部分を拡大して示す。
【００３４】
（下部品１１０）
下部品１１０は、折板屋根Ｒに接続される長方形形状の底面部１１１と、底面部１１１の一方側端から起立する背面壁１１３と、底面部１１１のもう一方側端から起立する前面壁１１２と、前面壁１１２の上端から前方側に延びる底面部１１１に平行なフランジ１１４とを有する。背面壁１１３の上端部は、上部品１２０の一部（引掛り部）２３に引っ掛かる形状を有する下部品１１０の一部（引掛り部）１３である。背面壁１１３の引掛り部１３には、一直線に延びる線状突起１３ｒが形成されている。底面部１１１には、折板屋根Ｒと底面部１１１とを接合する接合部材を挿入するための部材挿入孔１１ａ、１１ｂが形成されている。接合部材の例としては、リベット、ルーフボルト、タッピングビスなどの棒状固定部材が挙げられるが、本発明はこれらに限定されない。
【００３５】
前面壁１１２は、背面壁１１３より低い壁である。フランジ１１４には、締結ボルトＢｔを挿入するための長孔１４が下部品１１０の長さ方向（矢印Ａの方向）に形成されている。
【００３６】
（上部品１２０）
上部品１２０は、ソーラーパネルＳが載置される長方形形状の上面部１２１と、上面部１２１の一方側端から下方に起立する背面壁１２３と、上面部１２１のもう一方側端から下方に起立する前面壁１２２と、前面壁１２２の下端から前方側に延びる上面部１２１に平行なフランジ１２４とを有する。ここで、上部品１２０の上面部１２１の長辺の方向と下部品１１０の底面部１１１の長辺の方向とは一致しており、この方向（Ａ方向）を取付器具１００の長さ方向といい、上面部１２１および底面部１１１の短辺の方向（Ｂ方向およびＥ方向）を取付器具１００の幅方向という。この上面部１２１の表面は、ソーラーパネルＳが載置される載置面となっており、図１に示されるようにソーラーパネルＳを位置決めする指標となるガイドライン２１ｄが引かれていてもよい。背面壁１２３の下端部は、下部品１１０の一部１３に引っ掛かる形状を有する上部品１２０の一部（引掛り部）２３である。背面壁１２３の引掛り部２３には、一直線状に延びる線状溝２３ｒが形成されている。この線状溝２３ｒと線状突起１３ｒとは、下部品１１０に対して上部品１２０が取付器具１００の長さ方向（Ａ方向）にスライド可能なように、係合する。
【００３７】
このように下部品１１０に対して上部品１２０をスライド可能とすることで、上部品１２０のボルト挿入穴２１ｃを丸穴にすることもでき、ボルト挿入穴２１ｃを丸穴にした場合には、ボルト挿入穴２１ｃを長孔にする場合に比べて上部品１２０の強度を高くすることができる。
【００３８】
上面部１２１に、ソーラーパネルＳを固定するための固定ボルトＢｆを挿入するためのボルト挿入孔２１ｃが形成されている。また、上面部１２１の下面に、固定ボルトＢｆが脱落しないように固定ボルトＢｆを保持する一対のボルト保持片２１ａおよび２１ｂが形成されていてもよい。
【００３９】
前面壁１２２は、背面壁１２３より高い壁である。フランジ１２４には、締結ボルトＢｔを挿入するための長孔２４が上部品１２０の長さ方向（矢印Ａの方向）に形成されている。
【００４０】
ここで、上部品１２０は、上部品１２０が下部品１１０に連結されたとき、上部品１２０の上面部１２１が下部品１１０の底面部１１１に平行となるように構成されており、従って、下部品１１０のフランジ１１４および上部品１２０のフランジ１２４は、折板屋根Ｒの頂部平坦面Ｒ１に平行になり、下部品１１０のフランジ１１４のボルト挿入長孔１４および上部品１２０のフランジ１２４のボルト挿入長孔２４に挿入されて締結ナットＮｔとともに上部品１２０と下部品１１０とを締結ボルトＢｔにより締結する締結方向は図中上下方向（Ｄ方向およびＣ方向）に沿うこととなる。
【００４１】
また、図２に示すように下部品１１０の底面部１１１の下面に底面防水テープ１１１ｂを貼り付け、底面部１１１の上面のリベット挿入孔１１ａ、１１ｂの部分に防水テープ１１１ａを貼り付けることにより上方から下方への水の進行を防止するようにしてもよい。
【００４２】
なお、図１〜図４では、上部品１２０のフランジ１２４に形成されたボルト挿入長孔２４が下部品１１０のフランジ１１４に形成された長孔１４よりも長いものを示しているが、これらの長孔の長さの大小関係は逆にしてもよいし、２つの長孔の長さを同一にしてもよい。また、図１〜図４では、下部品１１０は、底面部１１１に対して背面壁１１３および前面壁１１２が真っすぐに上方に起立した構造とし、上部品１２０は、上面部１２１に対して背面壁１２３および前面壁１２２が真っすぐに下方に起立した構造としているが、下部品１１０は、底面部１１１に対して背面壁１１３および前面壁１１２が斜めに起立した構造でもよく、上部品１２０は、上面部１２１に対して背面壁１２３および前面壁１２２が斜め下方に起立した構造としてもよい。さらに、下部品１１０および上部品１２０は、長さ方向に垂直な断面の輪郭が複数の直線で構成された角ばった形状のものに限定されず、長さ方向に垂直な断面の輪郭が曲線を含む丸みを帯びた形状のものでもよい。
【００４３】
２．取付器具１００の使用方法
次に、実施形態１の取付器具１００の使用方法を説明する。
【００４４】
図５は、実施形態１の取付器具１００を用いてソーラーパネルＳを折板屋根Ｒに取り付けた状態を説明するための図であり、図５（ａ）は、折板屋根Ｒの全体を示し、図５（ｂ）および図５（ｃ）は、図５（ａ）におけるＡ５部分を拡大して示す平面図および斜視図である。ただし、図５（ａ）では、折板屋根Ｒの凹凸は省略し、図５（ｃ）では、ソーラーパネルＳを透視して示している。
【００４５】
実施形態１の取付器具１００は、図５（ａ）に示すようにソーラーパネルＳを架台などを用いずに折板屋根Ｒに直接取り付けるのに用いられる。この取付器具１００には、図５（ｂ）および（ｃ）に示すように、折板屋根Ｒの端部以外の部分（例えば、図５のＢ５部分）では、折板屋根Ｒの傾斜方向Ｔに配列されている隣接するソーラーパネルＳの一方の端部とその他方の端部とが載置され、折板屋根Ｒの端部（例えば、図５のＣ５部分）では、折板屋根Ｒの傾斜方向の端部に位置するソーラーパネルＳの端部のみが載置される。なお、ここでは、折板屋根Ｒは、建造物のベース部材Ｂｍに固定されたタイトフレームＴｆにより支持されている。
【００４６】
このため、取付器具１００を折板屋根Ｒの端部以外の部分で使用する場合と、取付器具１００を折板屋根Ｒの端部で使用する場合とでは、取付対象が異なるため、それに対応して、ソーラーパネルＳを取付器具１００の上部品１２０に固定する押え金具として異なる構造のものを用いてもよい。
【００４７】
図６は、取付器具１００に取り付けられる押え金具を示す図であり、図６（ａ）は、図５（ｂ）のＢ５部分に配置された取付器具１００に用いられる押え金具３０を示し、図６（ｂ）は、図５（ｂ）のＣ５部分に配置された取付器具１００に用いられる押え金具４０を示す。
【００４８】
図６（ａ）に示すように、折板屋根Ｒの端部以外の部分（図５のＢ５部分）に配置された取付器具１００には、折板屋根Ｒの傾斜方向に配列されている隣接するソーラーパネルＳの両方を取付器具１００に対して押さえ付ける押え金具３０が用いられる。
【００４９】
図６（ｂ）に示すように、折板屋根Ｒの端部（図５のＣ５部分）に配置された取付器具１００には、折板屋根Ｒの端部に配列されている１つのソーラーパネルＳを取付器具１００に対して押さえ付ける押え金具４０が用いられる。
【００５０】
図７は、取付器具１００に取り付けられる押え金具を示す図であり、図７（ａ）〜図７（ｃ）は、図６（ａ）に示す押え金具３０を示す。
【００５１】
折板屋根Ｒの中間部分（図５のＢ５部分）に配置された取付器具１００に用いられる押え金具３０は、固定ボルトＢｆが装着される底部３１と、底部３１の両側端から起立する一対の対向する側壁部３２ａおよび３２ｂと、側壁部３２ａおよび３２ｂのそれぞれの上端から外側に延びるように形成された一対の押え片３３ａおよび３３ｂとを有する。底部３１には固定ボルトＢｆを挿入するためのボルト挿入穴３１ａが形成されている。
【００５２】
この押え金具３０は、図６（ａ）に示すように取付器具１００に装着したとき、図５（ｂ）に示すように、押え金具３０の一対の押え片３３ａおよび３３ｂにより、押え金具３０の固定ボルトＢｆの両側に配置されている一対のソーラーパネルＳの両方を取付器具１００に対して固定することができる。
【００５３】
図７（ｄ）〜図７（ｆ）は、図６（ｂ）に示す押え金具４０を示す。
【００５４】
折板屋根Ｒの端部（図５のＣ５部分）に配置された取付器具１００に用いられる押え金具４０は、固定ボルトＢｆが装着される横板部４１と、横板部４１の一端から起立する上縦壁部４２と、上縦壁部４２の上端から外側に延びるように形成された押え片４３と、横板部４１の他端から下方に延びる下縦壁部４４とを有する。横板部４１には、固定ボルトＢｆを挿入するためのボルト挿入穴４１ａが形成されている。
【００５５】
この押え金具４０は、図６（ｂ）に示すように取付器具１００に装着したとき、図５（ｂ）に示すように、押え金具４０の１つの押え片４３が押え金具４０の一方側にのみ配置されているソーラーパネルＳを取付器具１００に対して押さえ付けると同時に、押え金具４０の下縦壁部４４の下端が取付器具１００の上部品１２０の上面部１２１に当接することとなる。これにより、押え金具４０により固定ボルトの片側でのみソーラーパネルＳを押さえ付けたときに、押え金具４０が傾いて押え金具がソーラーパネルＳを押さえ付ける力がソーラーパネルＳに対して斜めにかかるのを回避することができる。
【００５６】
次に、取付器具１００を用いてソーラーパネルＳを折板屋根Ｒに取り付ける作業を説明する。
【００５７】
まず、折板屋根Ｒの決められた複数の位置の各々に取付器具１００を固定する。なお、これらの取付器具１００の固定は、作業性を考慮して、上部品１２０の背面壁１２３の下端部２３を下部品１１０の背面壁１１３の上端部１３に引っ掛けて上部品１２０と下部品１１０とに締結ボルトＢｔおよび締結ナットＮｔを装着した状態で行ってもよい。具体的には、上部品１２０を下部品１１０に対してスライド可能な程度に締結ボルトＢｔに締結ナットＮｔを装着した状態で、下部品１１０のリベット挿入孔１１ａおよび１１ｂに対して下穴を折板屋根Ｒに開けたりリベットを挿入したりするのに邪魔にならないように上部品１２０を下部品１１０に対してスライドさせておき、この状態で、下部品１１０のリベット挿入孔１１ａおよび１１ｂに合わせて折板屋根Ｒに下穴を開け、その後、下部品１１０のリベット挿入孔１１ａおよび１１ｂと折板屋根Ｒの下穴を貫通するようにリベットを装着する。このようにして下部品１１０をリベットにより折板屋根Ｒに対して固定する。このリベットの装着は、折板屋根Ｒの頂部平坦面Ｒ１に対して垂直な方向に行われるため、作業者が深くかがみこむこと無く楽な姿勢で行うことができる。また、このように下部品１１０を上部品１２０に対してスライド可能とすることで、下部品１１０と上部品１２０とを組み立てた状態で下部品１１０を折板屋根Ｒに固定できる。このため、取付器具１００は下部品１１０と上部品１２０とを組み立てた状態で出荷し、その状態から施工可能であるため、施工作業の効率を高めることができる。
【００５８】
ただし、取付器具１００の出荷は、下部品１１０と上部品１２０とを組み立てた状態で行われる場合に限定されない。下部品１１０と上部品１２０とが別々に出荷され、現場での取付器具１００を折板屋根Ｒに取り付ける際に下部品１１０と上部品１２０とを組み立てるようにしてもよい。この場合は、取付器具１００は、下部品１１０を上部品１２０に対してスライド可能な構成でなくてもよい。なぜなら、下部品１１０と上部品１２０とをばらばらで現場に搬入し、下部品１１０を折板屋根Ｒに設置した後、下部品１１０に上部品１２０を連結するようにすれば、下部品１１０の設置の際に上部品１２０が邪魔になることはないからである。
【００５９】
また、ここでは、取付器具１００の下部品１１０および折板屋根Ｒに対して上からリベットを差し込んで下部品１１０と折板屋根Ｒとを固定する場合を説明したが、リベットによる下部品１１０と折板屋根Ｒとの固定は、折板屋根Ｒから突き出た固定用部材を取付器具１００の下部品１１０の固定用穴に嵌めるようにしてもよい。
【００６０】
次に、折板屋根Ｒの棟側あるいは軒側から順にソーラーパネルＳを取付器具１００上に配置し、押え金具３０および押え金具４０を用いてソーラーパネルＳを取付器具１００に固定していく。この作業の際に、下部品１１０に対する上部品１２０の位置決めを行い、位置決めが完了した取付器具１００に対して、締結ボルトＢｔに対して締結ナットＮｔを締結する作業を行う。この締結ボルトＢｔに対する締結ナットＮｔの締結作業では、締結方向が折板屋根Ｒの頂部平坦面Ｒ１に対して垂直な方向であることから、作業者は、下部品１１０に対して上部品１２０を固定するための締結作業を深くかがみ込むことなく楽な姿勢で行うことができる。
【００６１】
また、取付器具１００の長さ方向において下部品１１０の２つのリベット挿入孔１１ａおよび１１ｂの間に位置する部分で、上部品１２０に対して押え金具３０あるいは４０を固定するようにしてもよい。そのようにした場合には、ソーラーパネルＳの上方への引っ張りに対する取付器具１００の強度（鉛直引張加重に対する強度）を高めることができる。さらに、折板屋根Ｒに下部品１１０を固定する位置はリベット挿入孔１１ａおよび１１ｂの二か所ではなく一か所でもよい。一か所にした場合は、折板屋根Ｒに下部品１１０を固定する位置と、上部品１２０に対して押え金具を固定する位置との距離を、下部品１１０の長さ方向の寸法の所定の割合（例えば、２％、４％、６％、８％、１０％、１２％、１５％）に抑えると、上記と同様に鉛直引張加重に対する強度を高めることができる。特に、１０％以下では、取付器具１００にかかる鉛直引張加重に対して良好な強度を確保することができた。
【００６２】
また、上部品１２０の上面部１２１の表面（載置面）には、ソーラーパネルＳを載置面上で位置決めするときの指標となるガイドライン２１ｄを引いておいてもよく、その場合には、ソーラーパネルＳの設置の際に取付器具１００に対するソーラーパネルＳの位置を測定する必要がなく、高い施工性が得られる。
【００６３】
また、上部品１２０の載置面には、載置面に隣接するように配置された一対のソーラーパネルＳの間で電気的な導通をとるためのアース金具を設けてもよく、その場合には、ソーラーパネルＳ間での導通性を高め、ソーラーパネルＳ間でアース電位が変動するのを抑制することができる。この場合、アース金具の表面には、ソーラーパネルＳを載置面上で位置決めするときの指標となるガイドライン２ｄが引かれていることが好ましい。
【００６４】
なお、実施形態１では、下部品１１０の背面壁１１３の上端部に引掛り部１３を設けているが、引掛り部１３は、背面壁１１３の上端部に形成する場合に限らず、背面壁１１３の中間部や背面壁１１３の下端部に形成してもよい。その場合、上部品１２０にて背面壁１２３の高さ方向の寸法を大きくして、上部品１２０の背面壁１２３の下端部に形成された引掛り部２３が下部品１１０の背面壁１１３に形成された引掛り部１３に届くようにする必要がある。
【００６５】
また、上記実施形態１では、下部品および上部品に形成される引掛り部は、上部品を形成する側壁から出っ張った構造とし、下部品を形成する側壁から出っ張った構造としているが、下部品および上部品に形成される引掛り部は、この態様に限定されず、例えば、上部品を形成する側壁の一部を凹ませた構造とし、下部品を形成する側壁の一部を凹ませた構造としてもよく、あるいは、上部品を形成する側壁から出っ張った構造とし、下部品を形成する側壁の一部を凹ませた構造としてもよく、あるいは、上部品を形成する側壁の一部を凹ませた構造とし、下部品を形成する側壁から出っ張った構造としてもよい。
【００６６】
また、下部品１１０の底面部１１１に形成されている２つのリベット挿入孔１１ａ、１１ｂは、底面部１１１の長さ方向の中心線に沿った方向に配置されているものに限定されず、どのように配置されていてもよく、例えば、長方形の底面部１１１の対角線に沿って配置されていてもよい。
【００６７】
また、実施形態１では、取付器具１００として、下部品１１０の一方の片側部と上部品１２０の一方の片側部とが引っ掛かり、下部品１１０のもう一方の片側部と上部品１２０のもう一方の片側部とが締結されるものを示したが、本発明の取付器具１００はこのような構成のものに限定されるものではない。
【００６８】
例えば、取付器具１００において、下部品１１０と上部品１２０とが引っ掛かる箇所が、上下に２段以上に設けられていてもよく、また、引っ掛かる箇所は、取付器具の長さ方向（スライド可能な方向）に沿って取付器具の端から端まで形成されている必要はなく、取付器具の端から端までの間の一部に形成されていてもよい。
【００６９】
さらに、下部品１１０と上部品１２０とを締結するのに複数の締結部材を用いてもよいし、さらには、下部品１１０と上部品１２０とが引っ掛かる箇所が、下部品１１０に対する上部品１２０のスライド方向に２箇所以上設けられていてもよい。
【００７０】
以下、これらの構成を変形例として具体的に説明する。
【００７１】
〔実施形態１の変形例１〕
図８は、実施形態１の変形例１による取付器具１００ａを説明するための図であり、図８（ａ）は、取付器具１００ａの構造を示し、図８（ｂ）および図８（ｃ）は取付器具１００ａの上部品１２０ａおよび下部品１１０ａを示す。
【００７２】
実施形態１の変形例１による取付器具１００ａは、実施形態１の取付器具１００において、下部品１１０に代わる下部品１１０ａを設け、上部品１２０に代わる上部品１２０ａを備えたものである。
【００７３】
下部品１１０ａは、下部品１１０の背面壁１１３の上端に設けられた引掛り部１３に加えて、背面壁１１３の中間部にさらに引掛り部１３ａを設けたものである。また上部品１２０ａは、上部品１２０の背面壁１２３に比べて高さ方向に長い背面壁１２３ａを備え、下部品１１０ａの背面壁１１３の上端にある引掛り部１３に引っ掛かる引掛り部２３に加えて、下部品１１０ａの背面壁１１３の中間部分にある引掛り部１３ａに引っ掛かる引掛り部２３ａを備えたものである。
【００７４】
〔実施形態１の変形例２〕
図９は、実施形態１の変形例２による取付器具１００ｂを説明するための図であり、図９（ａ）は、取付器具１００ｂの構造を示し、図９（ｂ）および図９（ｃ）は取付器具１００ｂの上部品１２０および下部品１１０ｂを示す。
【００７５】
実施形態１の変形例２による取付器具１００ｂは、実施形態１の取付器具１００において、下部品１１０に代わる下部品１１０ｂを備えたものである。
【００７６】
この下部品１１０ｂは、前面壁１１２のフランジ１１４に、下部品１１０ｂに対する上部品１２０のスライド方向に沿って２つのボルト挿入長穴１４ａおよび１４ｂを設けたものである。
【００７７】
このような構成の取付器具１００ｂでは、下部品１１０ｂと上部品１２０との締結を２つの締結部材により行うことができ、下部品１１０ｂと上部品１２０との締結強度を高めることができる。
【００７８】
〔実施形態１の変形例３〕
図１０は、実施形態１の変形例３による取付器具１００ｃを説明するための図であり、図１０（ａ）は、取付器具１００ｃの構造を示し、図１０（ｂ）および図１０（ｃ）は取付器具１００ｃの上部品１２０ｃおよび下部品１１０ｃを示し、図１０（ｄ）は図１０（ｂ）の上部品１２０ｃをＤ１０方向から見た構造を示し、図１０（ｅ）は図１０（ｃ）の下部品１１０ｃをＥ１０方向から見た構造を示す。
【００７９】
実施形態１の変形例３による取付器具１００ｃは、実施形態１の取付器具１００において、下部品１１０に代わる下部品１１０ｃを設け、さらに、上部品１２０に代わる上部品１２０ｃを備えたものである。
【００８０】
下部品１１０ｃは、下部品１１０の背面壁１１３に代わる背面壁１１３ｃを有し、この背面壁１１３ｃは、実施形態１の背面壁１１３における引掛り部１３を、下部品１１０ｃに対する上部品１２０ｃのスライド方向に２分割した構造の引掛り部１３ｃを備えたものである。この引掛り部１３ｃは、第１の引掛り部１３ｃ１と、第２の引掛り部１３ｃ２とを有し、第１の引掛り部１３ｃ１と第２の引掛り部１３ｃ２とが所定距離だけ離して配置されている。
【００８１】
上部品１２０ｃは、上部品１２０の背面壁１２３に代わる背面壁１２３ｃを有し、この背面壁１２３ｃは、実施形態１の背面壁１２３における引掛り部２３を、下部品１１０ｃに対する上部品１２０ｃのスライド方向に２分割した構造の引掛り部２３ｃを備えたものである。この引掛り部２３ｃは、第１の引掛り部１３ｃ１に引っ掛かる第１の引掛り部２３ｃ１と、第２の引掛り部１３ｃ２に引っ掛かる第２の引掛り部２３ｃ２を有している。
【００８２】
このような実施形態１の変形例１〜変形例３は任意の組み合わせが可能である。
【００８３】
さらに、上記実施形態１およびその変形例では、下部品と上部品とが片側で引っ掛かり、下部品と上部品とがもう片側でボルトとナットで締結される取付器具を示したが、本発明の取付器具における締結手段は、折板屋根Ｒの頂部平坦面Ｒ１に対して垂直な方向で下部品と上部品とを締結するものであればよく、このようなボルトとナットによる締結手段に限定されない。
【００８４】
〔実施形態２〕
図１１は、本発明の実施形態２による取付器具２００を説明するための斜視図（図１１（ａ））および分解斜視図（図１１（ｂ））である。なお、図中、図１と同一符号は実施形態１のものと同一のものを示す。
【００８５】
この実施形態２の取付器具２００は、図１１（ａ）に示すように、折板屋根Ｒの表面上に取り付けられる下部品（第１の部品）２１０と、ソーラーパネルＳが取り付けられる上部品（第２の部品）２２０とを備え、下部品２１０と上部品２２０とがそれぞれの一方側の片側部（一方片側部）で引っ掛かり、かつ、同じ側の片側部（一方片側部）で締結ボルトＢｔおよび締結ナットＮｔにより締結されるものである。
【００８６】
以下、取付器具２００の具体的構成を説明する。
【００８７】
図１２〜図１４はそれぞれ、取付器具２００、その下部品２１０、およびその上部品２２０を説明するための図である。図１２（ａ）〜図１２（ｅ）はそれぞれ図１１（ａ）に示す取付器具２００をＡ１１方向〜Ｅ１１方向から見た構造を示し、図１３（ａ）〜図１３（ｅ）はそれぞれ図１１（ｂ）に示す取付器具の下部品２１０をＡ１１方向〜Ｅ１１方向から見た構造を示し、図１４（ａ）〜図１４（ｅ）はそれぞれ図１１（ｂ）に示す上部品２２０をＡ１１方向〜Ｅ１１方向から見た構造を示す。
【００８８】
（下部品２１０）
下部品２１０は、折板屋根Ｒに接続される底面部２１１と、底面部２１１の一方側端から起立する背面壁２１３と、底面部２１１のもう一方側端から起立する前面壁２１２と、前面壁２１２の上端に前方側に延びる底面部２１１に平行なフランジ２１４とを有する。背面壁２１３の上端部は、補強のための肉厚部１３ｂとなっている。底面部２１１には、実施形態１の取付器具１００と同様に、折板屋根Ｒと底面部２１１とを接合するリベットなどの接合部材を挿入するためのリベット挿入孔１１ａ、１１ｂが形成されている。
【００８９】
前面壁２１２は、背面壁２１３より低い壁であり、前面壁２１２の上端には、上部品２２０の一部（引掛り部）２４ａに引っ掛かる形状を有する引掛り部１２ａが形成されている。フランジ２１４には、締結ボルトＢｔを挿入するための長孔１４が下部品２１０の長さ方向（矢印Ａ１１の方向）に延びるように形成されている。
【００９０】
（上部品２２０）
上部品２２０は、ソーラーパネルＳが載置される上面部２２１と、上面部２２１の一方側端から下方に起立する背面壁２２３と、上面部２２１のもう一方の側端から下方に起立する前面壁２２２と、前面壁２２２の下端から前方側に延びる上面部２２１に平行なフランジ２２４とを有する。背面壁２２３の内側面は、下部品２１０が上部品２２０と組み合わせられたとき、下部品２１０における背面壁２１３の肉厚部１３ｂの外面に当接する。
【００９１】
上面部２２１に、固定ボルトＢｆを挿入するためのボルト挿入孔２１ｃが形成されている。また、上面部２２１の下面には、固定ボルトＢｆが脱落しないように固定ボルトＢｆを保持する一対のボルト保持片２１ａおよび２１ｂが形成されていてもよい。
【００９２】
上部品２２０の前面壁２２２の下端部と、下部品２１０の前面壁２１２の上端部とは、下部品２１０に対して上部品２２０が取付器具２００の長さ方向（Ａ方向）にスライド可能に係合する。
【００９３】
このように下部品２１０に対して上部品２２０をスライド可能とすることで、上部品２２０のボルト挿入穴２１ｃを丸穴にすることができ、上部品２２０に長孔のボルト挿入長孔を形成する場合に比べて上部品２２０の強度を高くすることができる。
【００９４】
ここで、上部品２２０は、上部品２２０が下部品２１０に連結されたとき、上部品２２０の上面部２２１が下部品２１０の底面部２１１に平行となるように構成されており、従って、下部品２１０のフランジ２１４および上部品２２０のフランジ２２４は、折板屋根Ｒの表面に平行になり、下部品２１０のフランジ２１４のボルト挿入長孔１４および上部品２２０のフランジ２２４のボルト挿入長孔２４に挿入されて締結ナットＮｔとともに上部品２２０と下部品２１０とを締結ボルトＢｔにより締結する締結方向は図中上下方向に沿うこととなる。
【００９５】
なお、図１２に示すように下部品２１０の底面部２１１の下面に底面防水テープ２１１ｂを貼り付け、底面部２１１の上面のリベット挿入孔１１ａ、１１ｂの部分に防水テープ２１１ａを貼り付けることにより上方から下方への水の進行を防止するようにしてもよい。
【００９６】
この実施形態２の取付器具２００においては、実施形態１の取付器具１００と同様な効果の他に、上部品２２０の前面壁２２２の下端部と下部品２１０の前面壁２１２の上端部とが引っ掛かっているので、取付器具２００に対して鉛直引張加重が作用したときに、上部品２２０の前面壁２２２が持ち上げられるのを下部品２１０の前面壁２１２が阻止することとなり、鉛直引張加重により下部品２１０のフランジ２１４および上部品２２０のフランジ２２４に負荷がかかるのを回避することができ、締結ボルトのサイズや下部品２１０および上部品２２０の板厚を低減することができる。
【００９７】
なお、この実施形態２にも、実施形態１の変形例と同様の変形を実施形態２に対して適用した変形例があり、実施形態１について具体的な例に限定されないと記載したのと同様に具体的な例に限定されない。
【００９８】
〔実施形態３〕
図１５は、本発明の実施形態３による取付器具３００を説明するための斜視図（図１５（ａ））および分解斜視図（図１５（ｂ））である。なお、図中、図１と同一符号は実施形態１のものと同一のものを示す。
【００９９】
この実施形態３の取付器具３００は、図１５（ａ）に示すように、折板屋根Ｒの表面上に取り付けられる下部品（第１の部品）３１０と、ソーラーパネルＳが取り付けられる上部品（第２の部品）３２０とを備え、下部品３１０と上部品３２０とがそれぞれの他方側の片側部（他方片側部）で引っ掛かり、下部品３１０と上部品３２０とがそれぞれのもう一方の片側部（一方片側部）で引っ掛かり、かつ、締結ボルトＢｔおよび締結ナットＮｔにより締結されるものである。
【０１００】
図１６〜図１８はそれぞれ、取付器具３００、その下部品３１０、およびその上部品３２０を説明するための図である。図１６（ａ）〜図１６（ｅ）は、それぞれ、図１５（ａ）に示す取付器具３００をＡ１５方向〜Ｅ１５方向から見た構造を示し、図１７（ａ）〜図１７（ｅ）はそれぞれ図１５（ｂ）に示す取付器具の下部品３１０をＡ１５方向〜Ｅ１５方向から見た構造を示し、図１８（ａ）〜図１８（ｅ）はそれぞれ図１５（ｂ）に示す上部品３２０ｂをＡ１５方向〜Ｅ１５方向から見た構造を示す。
【０１０１】
（下部品３１０）
下部品３１０は、折板屋根Ｒに接続される底面部３１１と、底面部３１１の一方側端から起立する背面壁３１３と、底面部３１１のもう一方側端から起立する前面壁３１２と、前面壁３１２の上端から前方側に延びる底面部３１１に平行なフランジ３１４とを有する。背面壁３１３の上端部は、上部品３２０の一部（引掛り部）２３に引っ掛かる形状を有する下部品３１０の一部（引掛り部）１３である。底面部３１１には、折板屋根Ｒと底面部３１１とを接合する接合部材を挿入するためのリベット挿入孔１１ａ、１１ｂが形成されている。
【０１０２】
前面壁３１２は、背面壁３１３より低い壁であり、前面壁３１２の上端には、上部品３２０の一部（引掛り部）２４ａに引っ掛かる引掛り部１２ａが形成されている。フランジ３１４には、締結ボルトＢｔを挿入するための長孔１４が下部品３１０の長さ方向（Ａ１５方向）に形成されている。
【０１０３】
（上部品３２０）
上部品３２０は、ソーラーパネルＳが載置される上面部３２１と、上面部３２１の一方側端から下方に起立する背面壁３２３と、上面部３２１のもう一方の側端から下方に起立する前面壁３２２と、前面壁３２２の下端から前方側に延びる上面部３２１に平行なフランジ３２４とを有する。背面壁３２３の下端部は、下部品３１０の一部（引掛り部）１３に引っ掛かる上部品３２０の一部（引掛り部）２３である。上部品３２０の背面壁３２３の下端部と下部品３１０の背面壁３１３の上端部とは、下部品３１０に対して上部品３２０が取付器具３００の長さ方向（Ａ１５方向）にスライド可能に係合する。
【０１０４】
上面部３２１に、ソーラーパネルＳを固定するための固定ボルトＢｆを挿入するためのボルト挿入孔２１ｃが形成される。また、上面部３２１の下面に、固定ボルトＢｆが脱落しないように固定ボルトＢｆを保持する一対のボルト保持片２１ａおよび２１ｂが形成されていてもよい。
【０１０５】
前面壁３２２の下端は、背面壁３２３の下端よりもさらに下側に位置している。上部品３２０の前面壁３２２の下端部と、下部品３１０の前面壁３１２の上端部とは、下部品３１０に対して上部品３２０が取付器具３００の長さ方向（Ａ１５方向）にスライド可能に係合する。フランジ３２４には、締結ボルトＢｔを挿入するための長孔２４が上部品３２０の長さ方向（Ａ１５方向）に形成されている。
【０１０６】
ここで、上部品３２０は、上部品３２０が下部品３１０に連結されたとき、上部品３２０の上面部３２１が下部品３１０の底面部３１１に平行となるように構成されており、従って、下部品３１０のフランジ３１４および上部品３２０のフランジ３２４は、折板屋根Ｒの表面に平行になり、下部品３１０のフランジ３１４のボルト挿入長孔１４および上部品３２０のフランジ３２４のボルト挿入長孔２４に挿入されて締結ナットＮｔとともに上部品３２０と下部品３１０とを締結ボルトＢｔにより締結する締結方向は図中上下方向に沿うこととなる。
【０１０７】
なお、図１６に示すように下部品３１０の底面部３１１の下面に底面防水テープ３１１ｂを貼り付け、底面部３１１の上面のリベット挿入孔１１ａ、１１ｂの部分に防水テープ３１１ａを貼り付けることにより上方から下方への水の進行を防止するようにしてもよい。
【０１０８】
この実施形態３の取付器具３００においては、実施形態１の取付器具１００あるいは実施形態２の取付器具２００に比べて、下部品３１０に対して上部品３２０が一方の片側部と他方の片側部の両方で引っ掛かるので、取付器具３００にかかる鉛直引張加重に対する強度をより高めることができる。
【０１０９】
このように下部品３１０に対して上部品３２０をスライド可能とすることで、上部品３２０のボルト挿入穴を丸穴にすることができ、上部品３２０に長孔を形成する場合に比べて上部品３２０の強度を高くすることができる。
【０１１０】
また、実施形態３にも、実施形態１の変形例と同様の変形を実施形態３に対して適用した変形例があり、実施形態１について具体的な例に限定されないと記載したのと同様に具体的な例に限定されない。
【０１１１】
なお、上述した各実施形態で言及した引掛り部には蝶番も含む。
【０１１２】
さらに、本発明の取付器具において上部品が下部品に対して引っ掛かっている状態とは、上部品が下部品に対して上方側に離れて行かないように上部品の少なくとも一部が下部品の少なくとも一部に係合している状態である。
【０１１３】
従って、このような本発明の取付器具の引掛り状態では、上下方向に直交する横方向には、下部品１１０に対する上部品１２０の動きが規制されてもよいし、あるいは、されなくてもよい。
【０１１４】
ただし、下部品１１０に対する上部品１２０の引掛り状態では、これらの部材の相対的な横方向の動きが規制されることにより、折板屋根Ｒに対するソーラーパネルＳの横方向のずれに対して安定な引掛りを実現することができる。
【０１１５】
図１に示す実施形態１の取付器具１００を挙げて具体的に説明する。
【０１１６】
図１９は、図１（ｂ）に示す取付器具１００における上部品１２０と下部品１１０との位置ずれを阻止する引掛り部１３および２３の構造の一例（図１９（ａ））およびその他の例（図１９（ｂ））を説明するための図である。
【０１１７】
下部品１１０の一部（引掛り部）１３と上部品１２０の一部（引掛り部）２３とが、図１（ａ）および図１（ｂ）に示すように引っ掛かっている状態では、上部品１２０が下部品１１０に対してスライド方向に垂直でかつ折板屋根Ｒの表面に平行な第２の方向に移動するのが阻止され、かつ、第２の方向と反対方向に上部品１２０が下部品１１０に対して移動するのが阻止されるように、上部品１２０の引掛り部２３と下部品１１０の引掛り部１３とが当接する。
【０１１８】
具体的には、図１９（ａ）に示すように、上部品１２０が下部品１１０に対してＢ方向に移動しようとしたときには、上部品１２０の引掛り部２３の第１の当接面２３ａ１が下部品１１０の引掛り部１３の第１の当接面１３ａ１に当接することにより、上部品１２０の下部品１１０に対するＢ方向への移動が阻止される。逆に、上部品１２０が下部品１１０に対してＥ方向に移動しようとしたときには、上部品１２０の引掛り部２３の第２の当接面２３ｂ１および２３ｂ２が下部品１１０の引掛り部１３の第２の当接面１３ｂ１及び１３ｂ２に当接することにより、上部品１２０の下部品１１０に対するＥ方向への移動が阻止される。
【０１１９】
ここで、引掛り部１３の第１の当接面１３ａ１および引掛り部２３の第１の当接面２３ａ１は、背面壁１１３及び１２３に対して傾斜した面であるが、図１９（ｂ）に示すように、引掛り部１３の第１の当接面１３ｃ１および引掛り部２３の第１の当接面２３ｃ１は、背面壁１１３及び１２３に対して平行な面でもよい。なお、図１９（ｂ）に示す上部品１２０の引掛り部２３の第２の当接面２３ｄ１および２３ｄ２は、図１９（ａ）に示す上部品１２０の引掛り部２３の第２の当接面２３ｂ１および２３ｂ２に相当し、図１９（ｂ）に示す下部品１１０の引掛り部１３の第２の当接面１３ｄ１および１３ｄ２は、図１９（ａ）に示す上部品１２０の引掛り部１３の第２の当接面１３ｂ１および１３ｂ２に相当する。
【０１２０】
さらに、上述した実施形態１〜実施形態３では、下部品と上部品とが、取付器具の一方側でボルトとナットで締結される取付器具を挙げたが、取付器具は、下部品と上部品とが、取付器具の両側（一方片側部および他方片側部）でボルトとナットで締結されるものでもよい。
【０１２１】
図２０は、取付器具における上部品と下部品とが取付器具の両側でボルトとナットで締結される２つの例（図２０（ａ）および図２０（ｂ））を説明するための図であり、図中、図１１と同一符号は実施形態２の取付器具２００におけるものと同一のものを示す。
【０１２２】
図２０（ａ）に示す取付器具２００ａは、実施形態２の取付器具２００において、下部品２１０ａの背面壁２１３ａと上部品２２０ａの背面壁２２３ａとが引掛り部１２ｂおよび引掛り部２４ｂ（一方片側部および他方片側部）によりさらに引掛り、フランジ２１４ａとフランジ２２４ａとが締結ボルトＢｔ、締結ナットＮｔによりさらに締結されるようにしたものである。また、図２０（ｂ）に示す取付器具２００ｂの下部品２１０ｂは、図２０（ａ）の取付器具２００ａの下部品２１０ａにおける背面壁２１３ａを、引掛り部を有しない背面壁２１３ｂに置き換えたものである。図２０（ｂ）に示す取付器具２００ｂの上部品２２０ｂは、図２０（ａ）の取付器具２００ａの上部品２２０ａにおける背面壁２２３ａを、引掛り部を有しない背面壁２２３ｂに置き換えたものである。
【０１２３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【０１２４】
本発明は、取付器具の分野において、支持部材に取り付けられる第１の部品と、被取付部材に取り付けられる第２の部品とを深くかがみ込むことなく作業性よく締結することができるものとして有用である。
【符号の説明】
【０１２５】
１１ａ、１１ｂ  リベット挿入孔
１２ａ、１２ｂ、１３、１３ａ、１３ｃ  引掛り部
１４、１４ａ、１４ｂ  ボルト挿入長孔
２１ａ、２１ｂ  ボルト保持片
２１ｃ  ボルト挿入孔
２１ｄ  ガイドライン
２３、２３ａ、２３ｂ、２３ｃ、２４ａ、２４ｂ  引掛り部
２４  ボルト挿入長孔
３０  中間押え部材
３１  底部
３２ａ、３２ｂ  側壁部
３３ａ、３３ｂ  押え片
４０  端部押え部材
４１  横板部
４２  上縦壁部
４３  押え片
４４  下縦壁部
１００、１００ａ〜１００ｃ、２００、２００ａ、２００ｂ、３００  取付器具
１１０、１１０ａ〜１１０ｃ、２１０、３１０  下部品（第１の部品）
１１１、２１１、３１１  底面部
１１２、２１２、３１２  前面壁
１１３、１１３ａ、２１３、２１３ａ、３１３  背面壁
１１４、１１４ｂ、２１４、２１４ａ、３１４  フランジ
１２０、１２０ａ〜１２０ｃ、２２０、３２０  上部品（第２の部品）
１２１、３２１  上面部
１２２、２２２、３２２  前面壁
１２３、１２３ａ、１２３ｃ、２２３、２２３ａ、２２３ｂ、３２３  背面壁
１２４、２２４、２２４ａ、３２４  フランジ
Ｂｆ  固定ボルト
Ｂｍ  ベース部材
Ｂｔ  締結ボルト
Ｎｆ  固定ナット
Ｎｔ  締結ナット
Ｒ  折板屋根
Ｓ  ソーラーパネル
Ｓｗ  スプリングワッシャー
Ｗ  座金
【図１】
2018141297.tif 000003
【図２】
2018141297.tif 000004
【図３】
2018141297.tif 000005
【図４】
2018141297.tif 000006
【図５】
2018141297.tif 000007
【図６】
2018141297.tif 000008
【図７】
2018141297.tif 000009
【図８】
2018141297.tif 000010
【図９】
2018141297.tif 000011
【図１０】
2018141297.tif 000012
【図１１】
2018141297.tif 000013
【図１２】
2018141297.tif 000014
【図１３】
2018141297.tif 000015
【図１４】
2018141297.tif 000016
【図１５】
2018141297.tif 000017
【図１６】
2018141297.tif 000018
【図１７】
2018141297.tif 000019
【図１８】
2018141297.tif 000020
【図１９】
2018141297.tif 000021
【図２０】
2018141297.tif 000022